【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射したレーザ光を偏向手段に導光する入射光学系と、前記偏向手段の偏向面で偏向されたレーザ光を被走査面の上に結像させる走査光学系と、を有する光走査装置において、
前記入射光学系は、主走査断面内において前記偏向手段の偏向面の幅よりも広い幅で前記前記偏向手段の偏向面に導光されるレーザ光を前記偏向面に入射させており、
前記走査光学系は、反射防止膜が施されていない入射面を含むプラスチックの走査レンズを有しており、
前記偏向手段の偏向面で偏向されたレーザ光は、前記プラスチックの走査レンズの入射面にＰ偏光の状態で入射し、かつ、
前記偏向手段の偏向面で偏向されたレーザ光は、有効走査範囲全域においてブリュースター角以下の入射角で前記プラスチックの走査レンズの入射面に入射していることを特徴とする光走査装置。
【請求項２】
前記光源手段は、複数のレーザ光を出射するモノリシックなマルチレーザ光源であることを特徴とする請求項１に記載の光走査装置。
【請求項３】
前記モノリシックなマルチレーザ光源は、複数のレーザ光を出射する面発光レーザ光源であることを特徴とする請求項２に記載の光走査装置。
【請求項４】
主走査断面内において、有効走査範囲の走査中心から最大像高を走査するまでに前記偏向手段の偏向面に入射するレーザ光の光束幅Ｄと、前記入射光学系の焦点距離ｆとにより決まるＦナンバー（ｆ／Ｄ）は８以上であることを特徴とする請求項１乃至３の何れか一項に記載の光走査装置。
【請求項５】
前記モノリシックなマルチレーザ光源は、複数の発光部を主走査方向及び副走査方向に異なった位置に有していることを特徴とする請求項２又は３の何れか一項に記載の光走査装置。
【請求項６】
請求項１乃至５の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項７】
請求項１乃至５の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１３
【補正方法】変更
【補正の内容】
【００１３】
請求項１の発明の光走査装置は、光源手段と、前記光源手段から出射したレーザ光を偏向手段に導光する入射光学系と、前記偏向手段の偏向面で偏向されたレーザ光を被走査面の上に結像させる走査光学系と、を有する光走査装置において、
前記入射光学系は、主走査断面内において前記偏向手段の偏向面の幅よりも広い幅で前記前記偏向手段の偏向面に導光されるレーザ光を前記偏向面に入射させており、
前記走査光学系は、反射防止膜が施されていない入射面を含むプラスチックの走査レンズを有しており、
前記偏向手段の偏向面で偏向されたレーザ光は、前記プラスチックの走査レンズの入射面にＰ偏光の状態で入射し、かつ、
前記偏向手段の偏向面で偏向されたレーザ光は、有効走査範囲全域においてブリュースター角以下の入射角で前記プラスチックの走査レンズの入射面に入射していることを特徴としている。
【手続補正３】
【補正対象書類名】明細書
【補正対象項目名】００１４
【補正方法】変更
【補正の内容】
【００１４】
請求項２の発明は請求項１の発明において、前記光源手段は、複数のレーザ光を出射するモノリシックなマルチレーザ光源であることを特徴としている。
【手続補正４】
【補正対象書類名】明細書
【補正対象項目名】００１５
【補正方法】変更
【補正の内容】
【００１５】
請求項３の発明は請求項２の発明において、前記モノリシックなマルチレーザ光源は、複数のレーザ光を出射する面発光レーザ光源であることを特徴としている。
【手続補正５】
【補正対象書類名】明細書
【補正対象項目名】００１６
【補正方法】変更
【補正の内容】
【００１６】
請求項４の発明は請求項１乃至３のいずれか１項の発明において、主走査断面内において、有効走査範囲の走査中心から最大像高を走査するまでに前記偏向手段の偏向面に入射するレーザ光の光束幅Ｄと、前記入射光学系の焦点距離ｆとにより決まるＦナンバー（ｆ／Ｄ）は８以上であることを特徴としている。
【手続補正６】
【補正対象書類名】明細書
【補正対象項目名】００１７
【補正方法】変更
【補正の内容】
【００１７】
請求項５の発明は請求項２又は３の発明において、前記モノリシックなマルチレーザ光源は、複数の発光部を主走査方向及び副走査方向に異なった位置に有していることを特徴としている。
【手続補正７】
【補正対象書類名】明細書
【補正対象項目名】００１８
【補正方法】変更
【補正の内容】
【００１８】
請求項６の発明の画像形成装置は、請求項１乃至５の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正８】
【補正対象書類名】明細書
【補正対象項目名】００１９
【補正方法】変更
【補正の内容】
【００１９】
請求項７の発明の画像形成装置は、請求項１乃至５の何れか１項に記載の光走査装置と、外部機器から入力したコードデータを画像信号に変換して前記光走査装置に入力せしめるプリンタコントローラとを有していることを特徴としている。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００４１
【補正方法】変更
【補正の内容】
【００４１】
１７は集光機能とｆθ特性とを有する走査光学系（ｆθレンズ系）であり、主に主走査断面内にパワーを有する反射防止膜付き(ＡＲコート)の材料としてガラス材より成る第１の走査レンズ（走査光学素子）９ａ、反射防止膜が施されていない（ノンコート）入射面を含むプラスチック材より成る第２の走査レンズ９ｂ、そして主に副走査断面内にパワーを有する反射防止膜が施されていない（ノンコート）プラスチック材より成るアナモフィック非球面レンズ１０より成っている。
【手続補正１７】
【補正対象書類名】明細書
【補正対象項目名】０１０８
【補正方法】変更
【補正の内容】
【０１０８】
現像器１０７によって現像されたトナー像は、感光ドラム１０１の下方で、感光ドラム１０１に対向するように配設された転写ローラ（転写手段）１０８によって被転写材たる用紙１１２上に転写される。用紙１１２は感光ドラム１０１の前方（図１４において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。